【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
排ガスを処理可能な排ガス処理装置において、
Ａサイトに少なくともＡｇ及びＤｙを含み且つＢサイトに少なくともＭｎを含むペロブスカイト型複合酸化物からなる排ガス処理用触媒を備え、
前記ペロブスカイト型複合酸化物は、一般式：ＡｇαＤｙ１−αＭｎＯ３（０．０１≦α≦０．２０）で表される組成を有することを特徴とする排ガス処理装置。
【請求項２】
前記排ガス処理装置は、前記排ガスの熱を回収可能な熱交換器を更に備えることを特徴とする請求項１に記載の排ガス処理装置。
【請求項３】
前記ペロブスカイ型複合酸化物は、一般式：Ａｇ０．１２Ｄｙ０．８８ＭｎＯ３で表される組成を有することを特徴とする請求項１に記載の排ガス処理装置。
【請求項４】
ガスタービンと、
蒸気タービンと、
前記ガスタービン及び前記蒸気タービンの動力によって発電可能な少なくとも１つの発電機と、
前記ガスタービンの排ガスを処理可能な排ガス処理装置と、を備え、
前記排ガス処理装置は、
Ａサイトに少なくともＡｇ及びＤｙを含み且つＢサイトに少なくともＭｎを含むペロブスカイト型複合酸化物からなる排ガス処理用触媒と、
前記排ガスの流れ方向にて前記排ガス処理用触媒よりも上流に配置され、前記排ガスと前記蒸気タービンに供給される蒸気との間で熱交換を実行可能な熱交換器と、
を有する
ことを特徴とするガスタービンコンバインドサイクル発電システム。
【請求項５】
ガスエンジンと、
前記ガスエンジンの動力によって発電可能な発電機と、
前記ガスエンジンに供給される空気を圧縮可能なターボチャージャと、
前記ガスエンジンの排ガスを処理可能な排ガス処理装置と、を備え、
前記排ガス処理装置は、Ａサイトに少なくともＡｇ及びＤｙを含み且つＢサイトに少なくともＭｎを含むペロブスカイト型複合酸化物からなる排ガス処理用触媒を有し、
前記ターボチャージャの排気タービンは、前記ガスエンジンと前記排ガス処理装置との間を延びる排ガス流路に配置されている
ことを特徴とするガスエンジン発電システム。
【請求項６】
排ガスを、Ａサイトに少なくともＡｇ及びＤｙを含み且つＢサイトに少なくともＭｎを含むペロブスカイト型複合酸化物からなる排ガス処理用触媒に対し接触させる排ガス処理工程を備え、
前記ペロブスカイト型複合酸化物は、一般式：ＡｇαＤｙ１−αＭｎＯ３（０．０１≦α≦０．２０）で表される組成を有することを特徴とする排ガス処理方法。
【請求項７】
前記排ガス処理工程の前に、前記排ガスを熱交換器に接触させて前記排ガスの熱を回収する熱交換工程を更に備えることを特徴とする請求項６に記載の排ガス処理方法。
【請求項８】
前記排ガス処理工程の前に、前記排ガスによりターボチャージャの排気タービンを回転させ、前記ターボチャージャのコンプレッサにより空気を圧縮する過給工程を更に備えることを特徴とする請求項６に記載の排ガス処理方法。
【手続補正２】
【補正対象書類名】明細書
【補正対象項目名】０００８
【補正方法】変更
【補正の内容】
【０００８】
（１）本発明の少なくとも一実施形態に係る排ガス処理装置は、ガスタービン又はガスエンジンの排ガスを処理可能な排ガス処理装置であって、
Ａサイトに少なくともＡｇ及びＤｙを含み且つＢサイトに少なくともＭｎを含むペロブスカイト型複合酸化物からなる排ガス処理用触媒を備え、ペロブスカイト型複合酸化物は、一般式：ＡｇαＤｙ１−αＭｎＯ３（０．０１≦α≦０．２０）で表される組成を有する。
【手続補正３】
【補正対象書類名】明細書
【補正対象項目名】００１１
【補正方法】変更
【補正の内容】
【００１１】
（２）幾つかの実施形態では、上記構成（１）において、
前記排ガス処理装置は、前記排ガスの熱を回収可能な熱交換器を更に備える。
上記構成（２）によれば、熱交換器によって排ガスの熱を回収することで、排ガスの熱を有効に活用することができる。特に、Ａサイトに少なくともＡｇ及びＤｙを含み且つＢサイトに少なくともＭｎを含むペロブスカイト型複合酸化物は優れた低温活性を有するので、排ガス処理用触媒よりも上流の熱交換器での排ガスの温度低下が従来よりも大きくてもよい。従って、高温の排ガスを利用して高効率で蒸気を加熱しながら、低温になった排ガスからＶＯＣを効率的に除去することができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
（３）幾つかの実施形態では、上記構成（１）において、
前記ペロブスカイ型複合酸化物は、一般式：Ａｇ０．１２Ｄｙ０．８８ＭｎＯ３で表される組成を有する。
【手続補正６】
【補正対象書類名】明細書
【補正対象項目名】００１４
【補正方法】変更
【補正の内容】
【００１４】
（４）本発明の少なくとも一実施形態に係るガスタービンコンバインドサイクル発電システムは、
ガスタービンと、
蒸気タービンと、
前記ガスタービン及び前記蒸気タービンの動力によって発電可能な少なくとも１つの発電機と、
前記ガスタービンの排ガスを処理可能な排ガス処理装置と、を備え、
前記排ガス処理装置は、
Ａサイトに少なくともＡｇ及びＤｙを含み且つＢサイトに少なくともＭｎを含むペロブスカイト型複合酸化物からなる排ガス処理用触媒と、
前記排ガスの流れ方向にて前記排ガス処理用触媒よりも上流に配置され、前記排ガスと前記蒸気タービンに供給される蒸気との間で熱交換を実行可能な熱交換器と、
を有する。
【手続補正７】
【補正対象書類名】明細書
【補正対象項目名】００１５
【補正方法】変更
【補正の内容】
【００１５】
上記構成（４）のガスタービンコンバインドサイクル発電システムでは、排ガス処理装置によって排ガス中のＶＯＣが除去される一方で、排ガスの熱を蒸気に与えることで、蒸気タービンの動力を利用して発電することができる。
特に、排ガス処理装置は、ペロブスカイト型複合酸化物が優れた低温活性を有するので、ガスタービンコンバインドサイクル発電システムの起動時に排ガスが低温であってもＶＯＣを効率的に除去することができる。また、Ａサイトに少なくともＡｇ及びＤｙを含み且つＢサイトに少なくともＭｎを含むペロブスカイト型複合酸化物は優れた低温活性を有するので、排ガスの流れ方向にて排ガス処理用触媒よりも上流の熱交換器での排ガスの温度低下が従来よりも大きくてもよい。従って、高温の排ガスを利用して高効率で蒸気を加熱しながら、低温になった排ガスからＶＯＣを効率的に除去することができる。
この結果、上記構成（４）のガスタービンコンバインドサイクル発電システムは、排ガス処理装置から排出される排ガスに含まれるＶＯＣが少ないのと同時に熱効率が高く、環境に優しい。
【手続補正８】
【補正対象書類名】明細書
【補正対象項目名】００１６
【補正方法】変更
【補正の内容】
【００１６】
（５）本発明の少なくとも一実施形態に係るガスエンジン発電システムは、
ガスエンジンと、
前記ガスエンジンの動力によって発電可能な発電機と、
前記ガスエンジンに供給される空気を圧縮可能なターボチャージャと、
前記ガスエンジンの排ガスを処理可能な排ガス処理装置と、を備え、
前記排ガス処理装置は、Ａサイトに少なくともＡｇ及びＤｙを含み且つＢサイトに少なくともＭｎを含むペロブスカイト型複合酸化物からなる排ガス処理用触媒を有し、
前記ターボチャージャの排気タービンは、前記ガスエンジンと前記排ガス処理装置との間を延びる排ガス流路に配置されている。
【手続補正９】
【補正対象書類名】明細書
【補正対象項目名】００１７
【補正方法】変更
【補正の内容】
【００１７】
上記構成（５）のガスエンジン発電システムでは、排ガス処理装置によって排ガス中のＶＯＣが除去される。特に、ペロブスカイト型複合酸化物が優れた低温活性を有するので、ガスエンジン発電システムの起動時に排ガスが低温であってもＶＯＣを効率的に除去することができる。一方、Ａサイトに少なくともＡｇ及びＤｙを含み且つＢサイトに少なくともＭｎを含むペロブスカイト型複合酸化物は優れた低温活性を有するので、ターボチャージャでの排ガスの温度低下が従来よりも大きくなってもよい。従って、高温の排ガスの熱エネルギをターボチャージャで動力に効率的に変換しながら、低温になった排ガスからＶＯＣを効率的に除去することができる。
この結果、上記構成（５）のガスエンジン発電システムは、排ガス処理装置から排出される排ガスに含まれるＶＯＣが少ないのと同時に熱効率が高く、環境に優しい。
【手続補正１０】
【補正対象書類名】明細書
【補正対象項目名】００１８
【補正方法】変更
【補正の内容】
【００１８】
（６）本発明の少なくとも一実施形態に係る排ガス処理方法は、
排ガスを、Ａサイトに少なくともＡｇ及びＤｙを含み且つＢサイトに少なくともＭｎを含むペロブスカイト型複合酸化物からなる排ガス処理用触媒に対し接触させる排ガス処理工程を備え、ペロブスカイト型複合酸化物は、一般式：ＡｇαＤｙ１−αＭｎＯ３（０．０１≦α≦０．２０）で表される組成を有する。
【手続補正１１】
【補正対象書類名】明細書
【補正対象項目名】００１９
【補正方法】変更
【補正の内容】
【００１９】
上記構成（６）の排ガス処理方法は、Ａサイトに少なくともＡｇ及びＤｙを含み且つＢサイトに少なくともＭｎを含むペロブスカイト型複合酸化物からなる排ガス処理用触媒に排ガスを接触させるので、ホルムアルデヒド等のＶＯＣの酸化除去性能に優れている。
特に、Ａサイトに少なくともＡｇ及びＤｙを含み且つＢサイトに少なくともＭｎを含むペロブスカイト型複合酸化物は、アルミナにＰｔが担持された触媒よりも、低温でのＶＯＣ除去性能に優れており、上記構成（６）の排ガス処理方法によれば、排ガスが低温でもＶＯＣを効率的に除去することができる。このため、ガスタービンやガスエンジンの起動時に従来よりも効率的にＶＯＣを除去することができる。
【手続補正１２】
【補正対象書類名】明細書
【補正対象項目名】００２０
【補正方法】変更
【補正の内容】
【００２０】
（７）幾つかの実施形態では、上記構成（６）において、
排ガス処理方法は、前記排ガス処理工程の前に、前記排ガスを熱交換器に接触させて前記排ガスの熱を回収する熱交換工程を更に備える。
上記構成（７）の排ガス処理方法では、Ａサイトに少なくともＡｇ及びＤｙを含み且つＢサイトに少なくともＭｎを含むペロブスカイト型複合酸化物は優れた低温活性を有するので、熱交換工程での排ガスの温度低下が従来よりも大きくてもよい。従って、上記構成（７）の排ガス処理方法によれば、高温の排ガスから高効率に熱を回収しながら、低温になった排ガスからＶＯＣを効率的に除去することができる。
【手続補正１３】
【補正対象書類名】明細書
【補正対象項目名】００２１
【補正方法】変更
【補正の内容】
【００２１】
（８）幾つかの実施形態では、上記構成（６）において、
排ガス処理方法は、前記排ガス処理工程の前に、前記排ガスによりターボチャージャの排気タービンを回転させ、前記ターボチャージャのコンプレッサにより空気を圧縮する過給工程を更に備える。
上記構成（８）の排ガス処理方法では、Ａサイトに少なくともＡｇ及びＤｙを含み且つＢサイトに少なくともＭｎを含むペロブスカイト型複合酸化物は優れた低温活性を有するので、過給工程での排ガスの温度低下が従来よりも大きくてもよい。従って、上記構成（８）の排ガス処理方法によれば、高温の排ガスの熱エネルギをターボチャージャで動力に効率的に変換しながら、低温になった排ガスからＶＯＣを効率的に除去することができる。